(57)【要約】【課題】スイングに際し、しっかり踏ん張ることができるインソールを得る。【解決手段】軽量弾性素材から成る本体１の前方部に、栂指と第２指との間から、拇指の付け根、並びに、第２指、第３指方向の付け根にかけて当接されるデルタ状の丘陵部４を形成したのである。【選択図】　　　　図１
2004057790.tif 000002
【特許請求の範囲】
【請求項１】
軽量弾性素材から成る本体（１）の前方部に、拇指と第２指との間から、拇指の付け根、並びに、第２指、第３指方向の付け根にかけて当接されるデルタ状の丘陵部（４）を形成したインソール。
【請求項２】
軽量弾性素材から成る本体（１）の土踏まず部（２）から後半の周縁に、踵部に沿う立上り部（３）を設けると共に、本体（１）の前方部に、拇指と第２指との間から、拇指の付け根、並びに、第２指、第３指方向の付け根にかけて当接されるデルタ状の丘陵部（４）を形成したインソール。
【請求項３】
軽量弾性素材から成る本体（１）の土踏まず部（２）から後半の周縁に、踵部に沿う立上り部（３）を設けると共に、本体（１）の前方部に、拇指と第２指との間から、拇指の付け根、並びに、第２指、第３指方向の付け根にかけて当接されるデルタ状の丘陵部（４）を形成し、デルタ状の丘陵部（４）から間隔をおいた本体（１）の中央部には、足裏に当接される楕円状、卵状の丘陵部（５）を形成したインソール。
【請求項４】
本体（１）の踵部裏面にクッション材（６）を配設した請求項１、２または３に記載のインソール。
【請求項５】
本体（１）の土踏まず部（２）の立上り部（３）の裏面に、補助部材（７）を取り付けた請求項２または３に記載のインソール。
【請求項６】
本体（１）のデルタ状の丘陵部（４）や、楕円状、卵状の丘陵部（５）の裏面に、夫々の丘陵部の高さを補助する補助部材（８）を取り付けた請求項１、２または３に記載のインソール。
【請求項７】
本体（１）の後半部の裏面に、本体（１）の後半部の周縁に設けた立上り部（３）を覆う立上り部（１０）を形成した合成樹脂材よりなる補強部材（９）を嵌め着けた請求項１、２、３または４に記載のインソール。
【発明の詳細な説明】
【０００１】
【産業上の利用分野】
本発明は、ゴルフをプレーする際に履用されるゴルフシューズのインソールに関するものである。
【０００２】
【従来の技術】
一般にゴルフをプレーするに際しては、スイング中において足の拇指の役割、即ち、しっかり踏ん張ることが肝心であり、この足の拇指が強く締め付けられることにより、スイングの安定感が増し、その結果、力強いスイングが生まれるのである。
【０００３】
しかしながら、従来のゴルフシューズのインソールは、足の拇指についてはなんら格別の配慮がなされていないのが通常であり、まれに履用したゴルフシューズの中でプレーヤーの足がスイングによって前後左右にずれることを防止しようとするものが見受けられたが、単にずれが防止できる、といった程度のものであった。
【０００４】
また、普遍的なインソールは、シューズを履用した際にフィット感を高める効果や、足のツボを押圧する効果を発揮する構成としているのが通常であった。
【０００５】
【発明が解決しようとする課題】
解決しようとする問題点は、従来のゴルフシューズのインソールは、プレーヤーがスイングするに際し、足が前後左右にずれることを防止しようとする程度であり、しっかり踏ん張ることができるものがなかったことである。
【０００６】
【課題を解決するための手段】
本発明は、軽量弾性素材から成る本体の前方部に、拇指と第２指との間から、拇指の付け根、並びに、第２指、第３指方向の付け根にかけて当接されるデルタ状の丘陵部を形成したのである。
【０００７】
また、本体の土踏まず部から後半の周縁に踵部に沿う立上り部を設け、デルタ状の丘陵部から間隔をおいた本体の中央部に、足裏に当接される楕円状、卵状の丘陵部を形成することも考えられる。
【０００８】
本体の踵部裏面に、クッション材を配設することや、本体の土踏まず部の立上り部の裏面に、補助部材を取り付けることもある。
【０００９】
本体のデルタ状の丘陵部や、楕円状、卵状の丘陵部の裏面には、夫々の丘陵部の高さを補助する補助部材を取り付けることもある。
【００１０】
更に、本体の後半部の裏面に、本体の後半部の周縁に設けた立上り部を覆う立上り部を形成した合成樹脂材よりなる補強部材を嵌め着けることもある。
【００１１】
【作用】
而して、本発明のインソールは、例えば、軽量で弾力性に富んだクッション性を有する素材で形成され、本体は３〜４ミリ程度の厚さに形成されていることが好ましく、従来のインソールと同様にゴルフシューズに嵌め入れて使用されるのであるが、使用者の必要に応じて本体の裏面にクッション材や補助部材を取り付け、或いは合成樹脂材よりなる補強部材を嵌め着けることができるのである。
【００１２】
そして、履用した際には、本体の土踏まず部から後半の周縁に設けた踵部に沿う立上り部が土踏まず部、踵を保持し、本体の前方部に形成したデルタ状の丘陵部が、拇指と第２指との間から、拇指の付け根、並びに、第２指、第３指方向の付け根にかけて当接され、あたかも下駄の鼻緒を拇指と第２指との間に挟み込んだ感覚となると共に、拇指の付け根、並びに、第２指、第３指の付け根によって丘陵部を握り込む感覚となり、スイングした際に拇指と第２指、第３指で本体のデルタ状の丘陵部を掴み込むこととなる。
【００１３】
また、デルタ状の丘陵部から間隔をおいた本体の中央部に、足裏に当接される楕円状、卵状の丘陵部を形成したことにより、丘陵部によって足裏が支えられ、長時間の履用や歩行にも疲れを生じることはない。
【００１４】
更に、本体の踵部裏面に、クッション材を配設することや、本体の土踏まず部の立上り部の裏面に、補助部材を取り付けることによって、スイング時や歩行時における足の不測の動きを防止し、踵にかかる体重の衝撃を緩和できる。
【００１５】
また、本体のデルタ状の丘陵部や、楕円状、卵状の丘陵部の裏面に、夫々の丘陵部の高さを補助する補助部材を適宜取り付けることによって、個人差による誤差が修正できる。
【００１６】
更に、本体の後半部の裏面に、本体の後半部の周縁に設けた立上り部を覆う立上り部を形成した合成樹脂材よりなる補強部材を嵌め着けることによって、ゴルフシューズに嵌め入れられたインソールの動きを防止し、足首を固定することでスイング時や歩行時のブレを防ぐのである。
【００１７】
【実施例】
以下、図面に基づいて本発明の実施例を説明すると、図面の実施例は左足用のものを示しており、１は軽量で弾力性に富む素材をもって形成したインソールの本体で、その土踏まず部２から後半の周縁に、踵部に沿う立上り部３を設けると共に、本体１の前方部に、履用した際に拇指と第２指との間から、拇指の付け根、並びに、第２指、第３指方向の付け根にかけて当接されるデルタ状の丘陵部４を形成してている。
【００１８】
５はデルタ状の丘陵部４から間隔をおいた本体１の中央部に形成した楕円状、卵状の丘陵部で、履用した際に足裏に当接されるのであり、デルタ状の丘陵部４、並びに、楕円状、卵状の丘陵部５は、それぞれの中央部分が本体１の表面から３〜５ミリ程度の高さに形成されている。
【００１９】
６は本体１の踵部裏面に配設したクッション材で、本体１の土踏まず部２の立上り部の裏面には、補助部材７が取り付けられており、本体１のデルタ状の丘陵部４や、楕円状、卵状の丘陵部５の裏面には、夫々の丘陵部の高さを補助する補助部材８が取り付けられている。
【００２０】
９は合成樹脂材よりなる補強部材で、本体１の土踏まず部２から後半の周縁に設けた立上り部３を覆う立上り部１０や、本体１の踵部裏面に配設したクッション材６を嵌め入れる孔１１を形成しており、本体１の後半部の裏面に嵌め着けられている。
【００２１】
１２はデルタ状の丘陵部４より前方の本体１に形成した空気孔で、デルタ状の丘陵部４より後方の本体１には足裏にフィットする多数の突起１３が形成されている。
【００２２】
【発明の効果】
本発明は上記のように構成されることから、本体の立上り部が土踏まず部、踵を保持すると共に、本体の前方部のデルタ状の丘陵部を拇指の付け根、並びに、第２指、第３指の付け根によって握り込む感覚となり、スイングした際に拇指と第２指、第３指で本体のデルタ状の丘陵部を掴み込むこととなり、スイングの安定感が増し、その結果、力強いスイングが生まれ、また、スイング時や歩行時における足の不測の動きを防止すると共に、踵にかかる体重の衝撃を緩和し、長時間の履用や歩行にも疲れを生じることなく対応できるのである。
【００２３】
また、本体のデルタ状の丘陵部や、楕円状、卵状の丘陵部の裏面に、夫々の丘陵部の高さを補助する補助部材を取り付けることによって、個人差による誤差を修正して適正なインソールを提供できるのである。
【図面の簡単な説明】
【図１】左足用インソールの表面図。
【図２】左足用インソールの裏面図。
【図３】左足用インソールの側面図。
【図４】補強部材を嵌め着けた左足用インソールの裏面図。
【符号の説明】
１　　　　　本体
２　　　　　土踏まず部
３　　　　　立上り部
４　　　　　デルタ状の丘陵部
５　　　　　楕円状、卵状の丘陵部
６　　　　　踵部裏面のクッション材
７　　　　　土踏まず部の補助部材
８　　　　　丘陵部裏面の補助部材
９　　　　　補強部材
１０　　　　　補強部材の立上り部
１１　　　　　補強部材の孔
１２　　　　　本体の空気孔
１３　　　　　突起
【図１】
2004057790.tif 000003
【図２】
2004057790.tif 000004
【図３】
2004057790.tif 000005
【図４】
2004057790.tif 000006